【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
青果物を内容物として収容するための青果物結露抑制包装袋であって、
当該青果物結露抑制包装袋は合成樹脂フィルムにより構成されており、
当該青果物結露抑制包装袋の外表面における水の接触角をθ１とし、当該青果物結露抑制包装袋の内表面における水の接触角をθ２とした時、θ１／θ２の値が１以上９以下である、青果物結露抑制包装袋。
【請求項２】
前記合成樹脂フィルムの２０℃、８０％ＲＨにおける酸素透過率をＴＯとし、前記合成樹脂フィルムの４０℃、９０％ＲＨにおける水蒸気透過率をＴＨとした時、ＴＯ／ＴＨの値が、０．００１ｃｃ／ｇ・ａｔｍ以上１７０００ｃｃ／ｇ・ａｔｍ以下である、請求項１に記載の青果物結露抑制包装袋。
【請求項３】
前記合成樹脂フィルムが、厚み方向に２以上の層が積層された多層構造を有する請求項１または２に記載の青果物結露抑制包装袋。
【請求項４】
当該青果物結露抑制包装袋の内表面がエチレン・ビニルアルコール共重合体を含む樹脂内層から形成される、請求項１乃至３のいずれか一項に記載の青果物結露抑制包装袋。
【請求項５】
当該青果物結露抑制包装袋の外表面がポリアミド樹脂材料を含む樹脂外層から形成される、請求項１乃至４のいずれか一項に記載の青果物結露抑制包装袋。
【請求項６】
前記合成樹脂フィルムの厚みが２０μｍ以上４０μｍ以下である、請求項１乃至５のいずれか一項に記載の青果物結露抑制包装袋。
【請求項７】
前記合成樹脂フィルムの４０℃、９０％ＲＨにおける水蒸気透過率が、３０ｇ／ｍ２・ｄａｙ以上１８０ｇ／ｍ２・ｄａｙ以下である、請求項１乃至６のいずれか一項に記載の青果物結露抑制包装袋。
【請求項８】
前記青果物が、果実類、果菜類、根菜類、菌茸類および花卉類からなる群のいずれかに分類される１種以上である、請求項１乃至７のいずれか一項に記載の青果物結露抑制包装袋。
【請求項９】
前記合成樹脂フィルムは、微細孔が設けられたものである、請求項１乃至８のいずれか一項に記載の青果物結露抑制包装袋。
【請求項１０】
θ１／θ２の値が１．３以上７以下である、請求項１乃至９のいずれか一項に記載の青果物結露抑制包装袋。
【請求項１１】
請求項１乃至１０のいずれか一項に記載の青果物結露抑制包装袋により青果物を密封してなる青果物入り包装体。
【請求項１２】
当該青果物入り包装体に密封されている前記青果物が、
１０℃、７５％ＲＨにおける前記青果物の蒸気圧をＰｇとし、１０℃、７５％ＲＨにおける純水の蒸気圧をＰｗとしたとき、Ｐｇ／Ｐｗで表される前記青果物の水分活性値が、０．８００以上０．９９９以下という条件を満たす青果物である、請求項１１に記載の青果物入り包装体。
【請求項１３】
請求項１乃至１０のいずれか一項に記載の青果物結露抑制包装袋を用いて青果物を包装する青果物の鮮度保持方法。
【請求項１４】
前記青果物が、１０℃、７５％ＲＨにおける前記青果物の蒸気圧をＰｇとし、１０℃、７５％ＲＨにおける純水の蒸気圧をＰｗとしたとき、Ｐｇ／Ｐｗで表される前記青果物の水分活性値が、０．８００以上０．９９９以下という条件を満たす青果物である、請求項１３に記載の青果物の鮮度保持方法。
【手続補正２】
【補正対象書類名】明細書
【補正対象項目名】発明の名称
【補正方法】変更
【補正の内容】
【発明の名称】青果物結露抑制包装袋、青果物入り包装体および青果物の鮮度保持方法
【手続補正３】
【補正対象書類名】明細書
【補正対象項目名】００１２
【補正方法】変更
【補正の内容】
【００１２】
本発明によれば、青果物を内容物として収容するための青果物結露抑制包装袋であって、
当該青果物結露抑制包装袋は合成樹脂フィルムにより構成されており、
当該青果物結露抑制包装袋の外表面における水の接触角をθ１とし、当該青果物結露抑制包装袋の内表面における水の接触角をθ２とした時、θ１／θ２の値が１以上９以下である、青果物結露抑制包装袋が提供される。
【手続補正４】
【補正対象書類名】明細書
【補正対象項目名】００１３
【補正方法】変更
【補正の内容】
【００１３】
さらに、本発明によれば、上記青果物結露抑制包装袋により青果物を密封してなる青果物入り包装体が提供される。
【手続補正５】
【補正対象書類名】明細書
【補正対象項目名】００１４
【補正方法】変更
【補正の内容】
【００１４】
さらに、本発明によれば、上記青果物結露抑制包装袋を用いて青果物を包装する青果物の鮮度保持方法が提供される。
【手続補正６】
【補正対象書類名】明細書
【補正対象項目名】００５５
【補正方法】変更
【補正の内容】
【００５５】
以上、本発明の実施形態について述べたが、これらは本発明の例示であり、上記以外の様々な構成を採用することもできる。
以下、参考形態の例を付記する。
１．
青果物を内容物として収容するための青果物カビ増殖抑制包装袋であって、
当該青果物カビ増殖抑制包装袋は合成樹脂フィルムにより構成されており、
当該青果物カビ増殖抑制包装袋の外表面における水の接触角をθ１とし、当該青果物カビ増殖抑制包装袋の内表面における水の接触角をθ２とした時、θ１／θ２の値が１以上９以下である、青果物カビ増殖抑制包装袋。
２．
前記合成樹脂フィルムの２０℃、８０％ＲＨにおける酸素透過率をＴＯとし、前記合成樹脂フィルムの４０℃、９０％ＲＨにおける水蒸気透過率をＴＨとした時、ＴＯ／ＴＨの値が、０．００１ｃｃ／ｇ・ａｔｍ以上１７０００ｃｃ／ｇ・ａｔｍ以下である、１．に記載の青果物カビ増殖抑制包装袋。
３．
前記合成樹脂フィルムが、厚み方向に２以上の層が積層された多層構造を有する１．または２．に記載の青果物カビ増殖抑制包装袋。
４．
当該青果物カビ増殖抑制包装袋の内表面がエチレン・ビニルアルコール共重合体を含む樹脂内層から形成される、１．乃至３．のいずれか一つに記載の青果物カビ増殖抑制包装袋。
５．
当該青果物カビ増殖抑制包装袋の外表面がポリアミド樹脂材料を含む樹脂外層から形成される、１．乃至４．のいずれか一つに記載の青果物カビ増殖抑制包装袋。
６．
前記合成樹脂フィルムの厚みが２０μｍ以上４０μｍ以下である、１．乃至５．のいずれか一つに記載の青果物カビ増殖抑制包装袋。
７．
前記合成樹脂フィルムの４０℃、９０％ＲＨにおける水蒸気透過率が、３０ｇ／ｍ２・ｄａｙ以上１８０ｇ／ｍ２・ｄａｙ以下である、１．乃至６．のいずれか一つに記載の青果物カビ増殖抑制包装袋。
８．
前記青果物が、果実類、果菜類、根菜類、菌茸類および花卉類からなる群のいずれかに分類される１種以上である、１．乃至７．のいずれか一つに記載の青果物カビ増殖抑制包装袋。
９．
１．乃至８．のいずれか一つに記載の青果物カビ増殖抑制包装袋により青果物を密封してなる青果物入り包装体。
１０．
当該青果物入り包装体に密封されている前記青果物が、
１０℃、７５％ＲＨにおける前記青果物の蒸気圧をＰｇとし、１０℃、７５％ＲＨにおける純水の蒸気圧をＰｗとしたとき、Ｐｇ／Ｐｗで表される前記青果物の水分活性値が、０．８００以上０．９９９以下という条件を満たす青果物である、９．に記載の青果物入り包装体。
１１．
１．乃至８．のいずれか一つに記載の青果物カビ増殖抑制包装袋を用いて青果物を包装する青果物の鮮度保持方法。
１２．
前記青果物が、１０℃、７５％ＲＨにおける前記青果物の蒸気圧をＰｇとし、１０℃、７５％ＲＨにおける純水の蒸気圧をＰｗとしたとき、Ｐｇ／Ｐｗで表される前記青果物の水分活性値が、０．８００以上０．９９９以下という条件を満たす青果物である、１１．に記載の青果物の鮮度保持方法。